(57)【要約】【課題】公知の装飾用取付具の代替手段として、履物に使用する装飾用取付具を提供すること。【解決手段】本発明は、靴の靴紐に連結されるように構成された装飾用取付具に関する。装飾用取付具は、本体部と該本体部に装着された１つまたはそれ以上のブラケットとを備え、１つまたはそれ以上のブラケットは、使用時に複数の靴紐部分が靴の鳩目と１つまたはそれ以上のブラケットとの間に伸びるように構成されている。また、１つまたはそれ以上のブラケットは、使用時に、靴紐部分が本体部から外方向に伸び、かつ外方向に向かって相互に分かれるように配設されている。本発明は、さらに、履物と装飾用取付具との組み合わせ、また、履物に装飾を施すための装飾用取付具の使用法にも関する。【選択図】図１ａ
2011527595.tif 000002
【特許請求の範囲】
【請求項１】
靴紐を介して靴に連結される装飾用取付具であって、
本体部と、前記本体部に装着された１つまたはそれ以上のブラケットとを備え、
前記１つまたはそれ以上のブラケットは、使用時に複数の靴紐部分が靴の鳩目と該１つまたはそれ以上のブラケットとの間に伸びるように構成され、
前記１つまたはそれ以上のブラケットは、使用時に、複数の靴紐部分が本体部から外側に延び相互に分かれるように構成されていることを特徴とする装飾用取付具。
【請求項２】
前記１つまたはそれ以上のブラケットが、使用時に複数の靴紐部分が広がり模様を形成するように構成されていることを特徴とする請求項１に記載の装飾用取付具。
【請求項３】
前記１つまたはそれ以上のブラケットが、２本以上の靴紐部分を収容するように構成および配置されていることを特徴とする請求項１に記載の装飾用取付具。
【請求項４】
前記１つまたはそれ以上のブラケットが、靴の左側の鳩目と前記１つまたはそれ以上のブラケットとの間に伸びる複数の靴紐部分を支持すると共に、靴の右側の鳩目と前記１つまたはそれ以上のブラケットとの間に伸びる複数の靴紐部分を支持するように構成されていることを特徴とする請求項１に記載の装飾用取付具。
【請求項５】
前記１つまたはそれ以上のブラケットが、装飾用取付具を靴の右列の鳩目と左列の鳩目との間に配置して靴紐で靴に結びつけた時、前記鳩目と前記１つまたはそれ以上のブラケットとの間に伸びる靴紐部分が画定され、靴紐部分と靴紐部分との間の距離が本体部から遠ざかるに従って大きくなるように構成されていることを特徴とする請求項１乃至請求項４のいずれか１項に記載の装飾用取付具。
【請求項６】
前記１つまたはそれ以上のブラケットが、使用時に、複数の靴紐部分が放射状に伸びるように構成されていることを特徴とする請求項１乃至請求項５のいずれか１項に記載の装飾用取付具。
【請求項７】
前記１つまたはそれ以上のブラケットが、靴の１つの鳩目から別の鳩目まで靴紐を前記１つまたはそれ以上のブラケットを介して延設することができるように構成されていることを特徴とする請求項１乃至請求項６のいずれか１項に記載の装飾用取付具。
【請求項８】
前記１つまたはそれ以上のブラケットが、靴紐を通すことのできる１つまたはそれ以上の開口部を形成していることを特徴とする請求項１乃至請求項７のいずれか１項に記載の装飾用取付具。
【請求項９】
少なくとも１つのブラケットが、複数の靴紐部分を収容して該ブラケットから該複数の靴紐部分が靴の様々な鳩目に伸びるように構成されていることを特徴とする請求項１乃至請求項８のいずれか１項に記載の装飾用取付具。
【請求項１０】
前記１つまたはそれ以上のブラケットが、実質的に本体部の外周の周りに伸びていることを特徴とする請求項１乃至請求項９のいずれか１項に記載の装飾用取付具。
【請求項１１】
フロントプレートと、前記フロントプレートに装着されたリングとを備えることを特徴とする請求項１乃至請求項１０のいずれか１項に記載の装飾用取付具。
【請求項１２】
前記１つまたはそれ以上のブラケットが、実質的に外から見えないように本体部の後方側に設けられていることを特徴とする請求項１乃至請求項１１のいずれか１項に記載の装飾用取付具。
【請求項１３】
使用時に、前記リング状のブラケットが、本体部の後方側に装着されることを特徴とする請求項１乃至請求項１２のいずれか１項に記載の装飾用取付具。
【請求項１４】
前記１つまたはそれ以上のブラケットが、リングまたはリングの小区分が連なったものとして設けられ、
前記リングまたはリング小区分が、１つまたは複数の橋絡部を介して本体部に連結されていることを特徴とする請求項１乃至請求項１３のいずれか１項に記載の装飾用取付具。
【請求項１５】
前記本体部が、実質的に円形の面部材を備えていることを特徴とする請求項１乃至請求項１４のいずれか１項に記載の装飾用取付具。
【請求項１６】
前記１つまたはそれ以上のブラケットが、本体部の外縁部から実質的に一定距離のところを伸びていることを特徴とする請求項１乃至請求項１５のいずれか１項に記載の装飾用取付具。
【請求項１７】
左側のブラケットと右側のブラケットとを備え、
前記左側のブラケットは、靴の左側の鳩目と該左側のブラケットとの間に伸びる複数の靴紐部分を支持するように構成され、
前記右側のブラケットは、靴の右側の鳩目と該右側のブラケットとの間に伸びる複数の靴紐部分を支持するように構成されて成ることを特徴とする請求項１乃至請求項１６のいずれか１項に記載の装飾用取付具。
【請求項１８】
前記本体部が、動物の形状と、文字の形状と、周知の物体の形状と、想像上の形状とからなる群から選択された装飾形状を備えることを特徴とする請求項１乃至請求項１７のいずれか１項に記載の装飾用取付具。
【請求項１９】
前記本体部が、平坦な前向きの表面を備えており、前記表面に文字、画像等の視覚的アイテムが表示されていることを特徴とする請求項１乃至請求項１８のいずれか１項に記載の装飾用取付具。
【請求項２０】
鉤状部材である複数のブラケットを備えることを特徴とする請求項１乃至請求項１９のいずれか１項に記載の装飾用取付具。
【請求項２１】
前記１つまたはそれ以上のブラケットは、靴紐が各ブラケットを回って伸び、履物の左側の１つの鳩目からブラケットを介して靴の左側の別の鳩目まで伸び、履物の右側の１つの鳩目からブラケットを介して靴の右側の別の鳩目まで伸びるように構成されていることを特徴とする請求項１乃至請求項２０のいずれか１項に記載の装飾用取付具。
【請求項２２】
履物と請求項１に記載の装飾用取付具とから構成される組み合わせであって、
前記装飾用取付具は、相互に外側に向けて延びる線から成る模様を靴紐部分が形成するように履物に設けられ、前記装飾用取付具が前記視覚的模様の中心となっていることを特徴とする組み合わせ。
【請求項２３】
靴紐と請求項１に記載の装飾用取付具とから構成されることを特徴とする組み合わせ。
【請求項２４】
履物に装飾を施すための請求項１に記載の装飾用取付具の使用法。
【発明の詳細な説明】
【技術分野】
【０００１】
本発明は、靴等の履物に用いる装飾用取付具に係る。本発明は、特に、靴紐を介して靴に連結され、標章、文字、図形等を表示するように構成された装飾用取付具に関する。
【０００２】
装飾用取付具は、先行技術において公知であり、標章は、商品販売において、また子供用としてよく見られるものである。
【背景技術】
【０００３】
下掲の特許文献１は、靴紐を介して靴に取り付けられるように構成された靴装飾品を開示している。この靴装飾品は、文字列や図形のような視覚画像を表示できるフロントプレートを備える。特許文献１の図３に示されているように、フロントプレートの後ろにプレート４２が設けられて、靴紐を通す通路５２が形成されている。通路５２を通る靴紐の部分が靴の左側の鳩目から靴の右側の鳩目まで伸びている。こうして、靴紐の各部分が鳩目の列と列の間の空間で交差する。
【０００４】
特許文献１の靴装飾品の場合、視覚的に余り魅力的でないという欠点を有する。
【先行技術文献】
【特許文献】
【０００５】
【特許文献１】米国特許第４５９７１９８号明細書
【発明の概要】
【発明が解決しようとする課題】
【０００６】
本発明の目的は、公知の装飾用取付具の代替手段として、履物に使用する装飾用取付具を提供することにある。
【０００７】
本発明の別の目的は、履物に使用する簡単かつ費用効率の良い装飾用取付具を提供することにある。
【０００８】
本発明のさらに別の目的は、履物用の視覚的に魅力的な装飾用取付具を提供することにある。
【課題を解決するための手段】
【０００９】
前記目的の少なくとも１つを達成するための、本発明は、靴紐を介して靴に連結される装飾用取付具であって、本体部と、前記本体部に装着された１つまたはそれ以上のブラケットを備え、前記１つまたはそれ以上のブラケットは、使用時に複数の靴紐部分が靴の鳩目と前記１つまたはそれ以上のブラケットとの間に伸びるように構成されている装飾用取付具を提供する。この装飾用取付具において、前記１つまたはそれ以上のブラケットは、使用時に複数の靴紐部分が本体部から外方向に伸び相互に分かれる（diverge）ように構成される。
【００１０】
こうして靴紐部分は、装飾用取付具の本体部に、見る人の注意を引きその注意を集める魅力的な視覚的模様を形成する。
【００１１】
靴紐部分は、線から成る視覚的模様を形成する。靴紐部分は、本体部によって形成される中心から分かれる（diverge）光線に例えることができる。各線は、装飾用取付具によって形成される中心から外向きに伸びる。靴紐には通常多少の張力がかかっているため、これらの線は、一般に直線となり、視覚的効果を高める。
【００１２】
一般に、靴には、２列の鳩目または開口部が設けられている。２列の鳩目は、間隔を空けて配列され、列と列の間に空間が形成されている。通常の靴または履物においては、靴紐を鳩目に通して靴を縛る。本発明では、靴紐の通し方が異なり、装飾用取付具が靴紐を介して靴に連結されるようにする必要がある。靴紐の機能は、通常のものと変わりはない。
【００１３】
使用時、靴紐は、左列の鳩目から装飾用取付具の少なくとも１つの開口部を通って伸びる。靴紐は、そこから靴の左列の次の鳩目に戻るように伸びる。前記次の鳩目から、靴紐は、再び装飾用取付具の開口部または次の開口部に戻り、さらに同じ列の次の鳩目に戻るように伸びる。
【００１４】
適切な実施形態では、１つまたはそれ以上のブラケットが、使用時に靴紐部分が広がり模様を形成するように配設されている。この広がり模様が、魅力的な視覚効果を生む。
【００１５】
適切な実施形態では、前記１つまたはそれ以上のブラケットが、２本以上の靴紐部分を収容するように構成配置されている。これによって、真の広がり模様が、生み出される。
【００１６】
適切な実施形態では、前記１つまたはそれ以上のブラケットが、靴の左側の鳩目と該１つまたはそれ以上のブラケットとの間に伸びる複数の靴紐部分を支持すると共に、靴の右側の鳩目と該１つまたはそれ以上のブラケットとの間に伸びる複数の靴紐部分を支持するように構成されている。こうして、左側の靴紐部分と右側の靴紐部分を、形成することができる。左右両方の靴紐部分が、分かれる（diverge）。
【００１７】
適切な実施形態では、１つまたはそれ以上のブラケットが、使用時に、各靴紐部分間の距離が本体部から遠ざかるに従って大きくなるように配設されている。特に、装飾用取付具が靴の左列の鳩目と右列の鳩目との間に配置されて靴紐で靴に縛り付けられる場合、鳩目と１つまたはそれ以上のブラケットとの間に伸びる靴紐部分が形成され、靴紐部分間の距離が本体部から遠ざかる方向に大きくなる。こうして、広がり模様が提供される。靴紐部分間の距離が大きくなるため、靴紐部分は、相互に分かれる（diverge）。
【００１８】
別の実施形態では、前記１つまたはそれ以上のブラケットが、靴紐部分が放射状に伸びるように配設される。放射状の模様は、シンプルで魅力的な視覚的模様である。
【００１９】
通常の場合、前記１つまたはそれ以上のブラケットは、靴紐が靴の１つの鳩目から該１つまたはそれ以上のブラケットを介して靴の別の鳩目まで伸びるように構成される。
【００２０】
１つまたはそれ以上のブラケットが、１つまたはそれ以上の開口部を形成し、その開口部を通って靴紐が伸びるようにしてもよい。この実施形態によると、装飾用取付具をしっかりと靴に固定することが可能となる。
【００２１】
本発明の別の実施形態では、少なくとも１つのブラケットが、複数の靴紐部分を収容し、前記複数の靴紐部分が同じブラケットからそれぞれ靴の異なる鳩目に伸びるように構成されている。靴紐部分をブラケットにより共有することで、ブラケットの総数が少なくなり、装飾用取付具の構成をより簡単なものにすることができる。
【００２２】
装飾用取付具を平坦にすることにより、構造を簡単にし、費用効率の良い製造を可能にすることができる。
【００２３】
一実施形態では、１つまたはそれ以上のブラケットが、実質的に本体部の外周部の周りに伸びる。１つまたはそれ以上のブラケットが、本体部の外縁部から一定距離のところを伸びるようにしてもよい。
【００２４】
この構成では、靴紐部分が、本体部の外縁部付近で終わることになる。また、この構成によると装飾用取付具を平坦な構造とすることができる。
【００２５】
一実施形態では、装飾用取付具がフロントプレートと、該フロントプレートに装着されたリングとを備える。リングは、ブラケットを簡単にしたものとすることができる。
【００２６】
別の実施形態では、１つまたはそれ以上のブラケットが、使用時に実質的に外から見えないように本体部の後方に設けられる。この実施形態では、靴紐を１つまたはそれ以上のブラケットに巻き付けた箇所が外部から見えなくなり、靴紐部分の直線状の部分だけが見えるようになる。このことも、視覚的効果を高める。
【００２７】
適切な実施形態では、使用時に、リング状のブラケットが、本体部の後方に装着される。リングを区分したものや鉤状のブラケットなど、他の種類のブラケットを本体部の後方に装着してもよい。
【００２８】
適切な実施形態では、１つまたはそれ以上のブラケットをリングまたはリングの小区分が連なったものとしてものとして設け、このリングまたはリングの小区分を１つまたは複数の橋絡部を介して本体部に連結する。
【００２９】
別の実施形態では、本体部が、実質的に円形の面部材を含む。円形形状によって、グラフィック画像または文字メッセージのための単純な表面が提供される。
【００３０】
別の実施形態では、装飾用取付具が、左ブラケットと右ブラケットとを備え、前記左ブラケットは、靴の左側の鳩目に伸びる靴紐部分を支持し、前記右ブラケットは、靴の右側の鳩目に伸びる靴紐部分を支持するように構成される。この実施形態では、靴紐および靴と効率的に連結することが可能となる。靴着用者が左右のブラケットによって形成される開口部に靴紐を通して結ぶのは比較的簡単である。
【００３１】
適切な実施形態では、本体部が、動物の形状と、文字の形状と、周知の物体の形状と、想像上の形状とからなる群から選択された装飾形状を備える。このような形状は、装飾用取付具の視覚効果を高めるものである。
【００３２】
別の実施形態では、本体部が平坦な前向きの表面を備えており、前記表面に文字、画像等の視覚的アイテムが表示されている。
【００３３】
別の実施形態では、装飾用取付具が、鉤状部材である複数のブラケットを備える。鉤状部材は、簡単である上、靴紐を介して靴に簡単に連結することを可能にする。
【００３４】
一般に、１つまたはそれ以上のブラケットは、靴紐が各ブラケットを回って伸び、履物の左側の１つの鳩目からブラケットを介して靴の左側の別の鳩目まで伸び、また、履物の右側の１つの鳩目からブラケットを介して靴の右側の別の鳩目まで伸びるように構成される。
【００３５】
本発明は、さらに、履物と請求項１に記載の装飾用取付具との組み合わせにも係る。装飾用取付具は、靴紐部分が外向きに相互に遠ざかっていく線から模様を形成するように履物に設けられており、装飾用取付具が前記視覚的模様の中心となる。
【００３６】
本発明は、さらに、靴紐と請求項１に記載の装飾用取付具との組み合わせにも係る。靴紐は、装飾のデザインと調和するように特にデザインすることができる。例えば、靴紐の色を、装飾用の装飾用取付具の色と調和させてもよい。また別の方法で、靴紐を装飾用取付具に同調させることも可能である。
【００３７】
本発明は、さらに、履物に装飾を施すための請求項１に記載の装飾用取付具の使用法にも係る。
【００３８】
本発明の請求の範囲と利点については、以下の詳細な説明を読み添付図面と関連して考察することによって理解が深まり、より容易に理解されるであろう。なお、添付図面では類似の参照符号は同一または類似の機能を有する部分を示している。
【００３９】
図面から本発明についてより明らかとなろう。
【図面の簡単な説明】
【００４０】
【図１ａ】本発明による装飾用取付具を備えた靴を示す図である。
【図１ｂ】本発明による装飾用取付具を備えた靴の一部を示す図である。
【図２ａ】本発明による装飾用取付具を示す等角図である。
【図２ｂ】本発明による装飾用取付具の側面図である。
【図３ａ】本発明による装飾用取付具のその他の各種実施形態を示す正面図である。
【図３ｂ】本発明による装飾用取付具のその他の各種実施形態を示す正面図である。
【図３ｃ】本発明による装飾用取付具のその他の各種実施形態を示す正面図である。
【図３ｄ】本発明による装飾用取付具のその他の各種実施形態を示す正面図である。
【図３ｅ】本発明による装飾用取付具のその他の各種実施形態を示す正面図である。
【図３ｆ】本発明による装飾用取付具のその他の各種実施形態を示す正面図である。
【図３ｇ】本発明による装飾用取付具のその他の各種実施形態を示す正面図である。
【図３ｈ】本発明による装飾用取付具のその他の各種実施形態を示す正面図である。
【図３ｉ】本発明による装飾用取付具のその他の各種実施形態を示す正面図である。
【図４】本発明による装飾用取付具の別の実施形態を示す正面図である。
【図５ａ】図４の実施形態の背面を示す等角図である。
【図５ｂ】図４の実施形態の背面図である。
【図５ｃ】図４の実施形態の側面図である。
【図５ｄ】図４の実施形態の別の側面図である。
【図６ａ】本発明による装飾用取付具の別の各種実施態を備えた靴の正面図である。
【図６ｂ】本発明による装飾用取付具の別の各種実施態を備えた靴の正面図である。
【図６ｃ】本発明による装飾用取付具の別の各種実施態を備えた靴の正面図である。
【図６ｄ】本発明による装飾用取付具の別の各種実施態を備えた靴の正面図である。
【図７】本発明の別の実施形態の正面図である。
【図８ａ】本発明の別の実施形態の背面図である。
【図８ｂ】本発明の図８ａの実施形態の等角図である。
【図８ｃ】本発明の実施形態の側面図である。
【発明を実施するための形態】
【００４１】
図１ａと図１ｂを参照すると、靴２０が本発明による装飾用取付具１０と共に示されている。装飾用取付具１０は、靴紐３０を介して靴２０に連結されている。靴２０は、靴紐３０用の鳩目１２を備えている。鳩目１２は、２つの列１４、１６に配列されており、靴２０の左側フラップ部１３Ａと右側フラップ部１３Ｂに設けられている。右列１４が靴の右側に（歩く方向で見て）、左列１６が靴の左側に設けられている。鳩目の各列１４、１６には、６つの鳩目１２がそれぞれ含まれる。
【００４２】
靴紐の一部が、各鳩目１２と装飾用取付具１０との間に延びている。これ以降、この靴紐の部分を、靴紐部分２７と称する。靴紐部分２７は、視覚的模様を形成する。本体部３２が、その視覚的模様の中心部を形成する。この模様は、放射状の模様でもよい。その場合、靴紐部分２７は外向きに、靴紐部分２７と靴紐部分２７の間の距離４５が本体部３２から遠ざかるに従って大きくなるように伸びる。靴紐３０の装飾用取付具１０の後ろに伸びる部分は隠れるため、外から見えなくなる。
【００４３】
図１ｂは、靴紐部分２７Ａがブラケット２２Ａ、２２ｂの上側とフラップ１３Ａ、１３Ｂの上側を通ってそれぞれの鳩目１２まで伸びる様子を示している。他の靴紐部分２７Ｂはブラケット２２ａ、２２ｂの下側とフラップ１３Ａ、１３Ｂの下側を通って鳩目１２まで伸びている。靴紐部分２７Ａを、上側靴紐部分２７Ａと称し、靴紐部分２７Ｂを、下側靴紐部分２７Ｂと称する。下側靴紐部分は、ブラケット２２ａ、２２ｂと上側靴紐部分２７Ａとフラップ１３とによって部分的に隠れる。靴紐３０が幅広の場合、下側靴紐部分２７Ｂは上側靴紐部分２７Ａによって隠れるため、外からは完全に、あるいは、ほぼ完全に見えなくなる。下側靴紐部分２７Ｂが下側に位置することから、下側靴紐部分２７Ｂを見えにくくする、あるいは見えないようにすることも可能である。
【００４４】
図２ａおよび図２ｂを参照すると、装飾用取付具１０は、本体部３２を含む。本体部３２は、使用時に表を向く側である正面側１８を有しており、その上に文字、図形、肖像画等の視覚画像が表示される。本体部３２は、円形である。後述するように、本体部３２は、その他の形状とすることもできる。
【００４５】
装飾用取付具１０は、２つのブラケット２２ａ、２２ｂを有しており、これらが２つの開口部２８を画定している。ブラケット２２ａ、２２ｂは、橋絡部２４を介して本体部３２に連結されている。ブラケット２２ａ、２２ｂは、本体部３２の外周３３の周りに伸びている。ブラケット２２ａ、２０ｂは、環状形状または実質的に環状形状で形成されている。
【００４６】
開口部２８は、靴紐部分２７が開口部２８を通って靴２０の鳩目から装飾用取付具まで伸び、また別の鳩目に戻るように構成されている。
【００４７】
再び図１ａおよび図１ｂを参照すると、装飾用取付具において、各靴紐部分２７が靴紐のループ部分２９を介して次の靴紐部分２７の上を通っている。ループ部分２９は、ブラケット２２ａ、２２ｂを回り開口部２８を通って伸びている。ループ部分２９は、湾曲している。ブラケット２２ａ、２２ｂは、複数のループ部分２９を左側に、また複数のループ部分を右側に収容するように構成されている。ループ部分２９は、上側靴紐部分２７Ａと下側靴紐部分２７Ｂの遷移部を形成している。
【００４８】
図２ｂに示されるように、装飾用取付具１０は、正面側１８と、背面側１９と、側面２６とを有している。装飾用取付具１０は、厚さ３６を有している。
【００４９】
図３ａ〜図３ｉを参照すると、本発明のいくつかの変形例が示されている。図３ａは、図２ａおよび２ｂの形状を有し、本体部３２の正面側１８に文字が表示された実施形態を示している。
【００５０】
図３ｂは、本体部３２の正面側１８に、グラフィック画像が表示された一変形例を示している。
【００５１】
図３ｃは、ブラケット２２ａ、２２ｂは円形であるが、本体部３２が菱形に形成された実施形態を示している。本体部３２は、その他の形状でもよい。ブラケット２２ａ、２２ｂについても、他の形状としてよい。
【００５２】
図３ｄは、橋絡部２４を６つ有する実施形態を示している。
【００５３】
図３ｅは、四角形状を有する装飾用取付具１０の実施形態を示している。ブラケット２２ａ、２２ｂは、直線状で本体部３２の左側と右側に沿って伸びている。
【００５４】
図３ｆは、正方形形状を設けた実施形態を示している。ブラケット２２ａ、２２ｂは、実質的に直線状で、本体部３２の左側３８ａと右側３８ｂに沿って伸びている。
【００５５】
図３ｇは、本発明の装飾用取付具１０の星形形状を示している。本体部３２とブラケット２２ａ、２２ｂの両方が、実質的に星形形状を形成している。
【００５６】
図３ｈは、実質的に六角形形状の実施形態を示している。
【００５７】
図３ｉは、ハート形を示しており、ここでは、本体部３２とブラケット２２ａ、２２ｂの両方が、ハート形を有している。
【００５８】
図４、図５ａ、図５ｂ、図５ｃ、図５ｄを参照すると、別の実施形態として、本体部３２が、ブラケット２２ａ、２２ｂの正面側に設けられた実施形態が示されている。この場合、上から見たときに靴紐部分２７が本体部３２から突出しているように見えるため、視覚的効果が高まる。
【００５９】
図５ａでは、ブラケット２２ａ、２２ｂが、本体部３２の背面側１９から伸びる橋絡部２４を介して本体部３２に連結されている。ブラケット２２ａ、２２ｂは、本体部３２から距離４０のところを本体部３２に対して共平面的に伸びている。ブラケット２２ａ、２２ｂが、半円形状に形成されているが、他の形状でもよい。
【００６０】
図５ｂでは、ブラケット２２ａ、２２ｂが本体部３２の外縁部３８から距離４２のところを伸びている。一実施形態では、この距離がブラケット周りの靴紐３０の屈曲部を本体部３２によって隠して外部から見えないようにすることができる。また、靴紐の短い部分も外部から見えないようにできる。外から見える靴紐部分２７は、直線状とすることができる。可視的な靴紐部分を、本体部の外縁部３８付近において間隔をあけて配置し、外縁部３８からの距離が大きくなるに従って靴紐部分間がさらに拡散するように配置することができる。
【００６１】
図６ａ、図６ｂ、図６ｃ、図６ｄは、ブラケットが本体部３２の後方に設けられている本発明の装飾用取付具１０の別の各種実施形態を示しており、図６ａは星形の本体部３２を示している。図６ｂでは、本体部３２が花の形を有している。図６ｃは図実質的に円形の本体部３２を示している。図６ｄは図円形と文字の形を組み合わせた本体部３２を示している。これ以外の形状も可能である。
【００６２】
図７は、複数のブラケット２２ａ〜２２ｆを実質的に本体部３２の周りに配設した実施形態を示している。
【００６３】
図８ａ〜８ｃは、異なる形状のブラケットを有する実施形態を示している。この場合のブラケット２２は、本体部３２の背面側１９から突出する鉤状部材である。鉤状のブラケットが、本体部３２の外縁部３８から外向きに伸びるようにしてもよい。また、各ブラケットが、靴紐を通す鳩目を形成するようにしてもよい。
【００６４】
ブラケット２２を鉤他の形状として同じ視覚的模様を創出することも可能である。
【００６５】
当業者には明らかなように、各部の詳細や配置について広い範囲で多くの変更を、本発明の精神および特許請求の範囲から逸脱することなく行うことが可能である。
【図１ａ】
2011527595.tif 000003
【図１Ｂ】
2011527595.tif 000004
【図２ａ】
2011527595.tif 000005
【図２ｂ】
2011527595.tif 000006
【図３ａ】
2011527595.tif 000007
【図３ｂ】
2011527595.tif 000008
【図３ｃ】
2011527595.tif 000009
【図３ｄ】
2011527595.tif 000010
【図３ｅ】
2011527595.tif 000011
【図３ｆ】
2011527595.tif 000012
【図３ｇ】
2011527595.tif 000013
【図３ｈ】
2011527595.tif 000014
【図３ｉ】
2011527595.tif 000015
【図４】
2011527595.tif 000016
【図５ａ】
2011527595.tif 000017
【図５ｂ】
2011527595.tif 000018
【図５ｃ】
2011527595.tif 000019
【図５ｄ】
2011527595.tif 000020
【図６ａ】
2011527595.tif 000021
【図６ｂ】
2011527595.tif 000022
【図６ｃ】
2011527595.tif 000023
【図６ｄ】
2011527595.tif 000024
【図７】
2011527595.tif 000025
【図８ａ】
2011527595.tif 000026
【図８ｂ】
2011527595.tif 000027
【図８ｃ】
2011527595.tif 000028
【国際調査報告】
2011527595.tif 000029
2011527595.tif 000030